(57)【特許請求の範囲】
【請求項１】
メインネットワークノード(MN)としてセカンダリネットワークノード(SN)と協働して無線端末(UE)との二重接続(DC)通信をサポートするネットワークノードを動作させる方法であって、
前記セカンダリネットワークノードと協働して前記無線端末との二重接続通信を提供すること（５０１）と、
前記無線端末との前記二重接続通信を一時停止する決定に応答して、前記無線端末に接続解放メッセージを送信すること（５０５）と、
前記無線端末との前記二重接続通信を一時停止する決定に応答して、一時停止指示メッセージを前記セカンダリネットワークノードに送信すること（５０７）と、
前記無線端末との前記二重接続通信を一時停止する決定に応答して、前記無線端末との前記二重接続通信を一時停止すること（５１５）と、を有する方法。
【請求項２】
前記無線端末との二重接続通信を一時停止する決定に応答して、前記無線端末との前記二重接続通信が一時停止されている間、前記二重接続通信のためのアクセスストラタム(AS)コンテキストが前記メインネットワークノードにおいて維持されるように、前記無線端末との前記二重接続通信のための前記アクセスストラタムコンテキストを保存すること（５１１）をさらに有する請求項１に記載の方法。
【請求項３】
前記無線端末との前記二重接続通信を一時停止する決定に応答して、前記無線端末との前記二重接続通信が一時停止されている間に前記無線端末によって実行されるべき無線リンク測定を規定する測定構成メッセージを前記無線端末に送信すること（５０９）をさらに有する請求項１または２に記載の方法。
【請求項４】
前記二重接続通信を一時停止した後、前記メインネットワークノードおよび／または前記セカンダリネットワークノードとの無線リンクについての無線リンク測定情報を提供する測定レポートを前記無線端末から受信すること（７０１、８０３、９０５）をさらに有する請求項１から３のいずれか１項に記載の方法。
【請求項５】
前記二重接続通信を一時停止させながら、前記無線端末についてのダウンリンクデータの到来を示すページングを前記無線端末に送信することをさらに有し、
前記測定レポートが、前記二重接続通信の一時停止の間、前記ページングを送信した後に受信される、請求項４に記載の方法。
【請求項６】
前記二重接続通信を一時停止することが、前記メインネットワークノードおよび前記セカンダリネットワークノードの両方のベアラを一時停止するために前記二重接続通信を一時停止することをさらに有する請求項１に記載の方法。
【請求項７】
セカンダリネットワークノード(SN)としてメインネットワークノード(MN)と協働して無線端末(UE)との二重接続をサポートするネットワークノードを動作させる方法であって、
前記メインネットワークノードと協働して前記無線端末との二重接続通信を提供すること（６０１）と、
一時停止指示メッセージを受信すること（６０５）と、
前記メインネットワークノードからの前記一時停止指示メッセージの受信に応答して、前記無線端末との前記二重接続通信を一時停止すること（６０９）と、を含む方法。
【請求項８】
前記メインネットワークノードからの前記一時停止指示メッセージの受信に応答して、前記無線端末との前記二重接続通信を一時停止した後に前記二重接続通信のためのアクセスストラタム(AS)コンテキストが前記セカンダリネットワークノードにおいて維持されるように、前記無線端末との前記二重接続通信のための前記アクセスストラタムコンテキストを保存すること（６０７）をさらに有する請求項７に記載の方法。
【請求項９】
前記一時停止指示メッセージは再開IDを含み、前記アクセスストラタムコンテキストは、前記再開IDに関連付けられる、請求項８に記載の方法。
【請求項１０】
前記二重接続通信を一時停止した後、前記メインネットワークノードから部分再開指示を受信すること（１２０３）であって、前記部分再開指示は前記再開IDを含む、受信することと、
前記部分再開指示の受信に応答して、前記アクセスストラタムコンテキストに基づいて、前記スプリットベアラのセカンダリネットワークノードレグを無効にし、かつ前記二重接続通信のためのセカンダリセルグループベアラの一時停止を維持しながら、前記二重接続通信のためのセカンダリセルグループスプリットベアラを再開すること（１２０５）、をさらに有する請求項９に記載の方法。
【請求項１１】
前記セカンダリセルグループスプリットベアラを再開した後、前記再開IDを含む完全再開指示を受信すること（１２０９）と、
前記完全再開指示の受信に応答して、前記アクセスストラタムコンテキストに基づいて前記二重接続通信のための前記セカンダリセルグループベアラを再開すること（１２１１）と、前記スプリットベアラの前記セカンダリネットワークノードレグを有効にすることと、をさらに有する請求項１０に記載の方法。
【請求項１２】
前記二重接続通信を一時停止することが、前記メインネットワークノードおよび前記セカンダリネットワークノードの両方のベアラを一時停止するために前記二重接続通信を一時停止することをさらに有する請求項７に記載の方法。
【請求項１３】
メインネットワークノード(MN)およびセカンダリネットワークノード(SN)との二重接続をサポートする無線端末(UE)を動作させる方法であって、
前記メインネットワークノードおよび前記セカンダリネットワークノードとの二重接続通信を提供すること（１００１）と、
前記メインネットワークノードから接続解放メッセージを受信すること（１００３）と、
前記接続解放メッセージの受信に応答して、前記メインネットワークノードおよび前記セカンダリネットワークノードとの前記二重接続通信を一時停止すること（１００７）と、
前記メインネットワークノードおよび前記セカンダリネットワークノードとの前記二重接続通信が一時停止されている間に、前記メインネットワークノードおよび／または前記セカンダリネットワークノードに関する無線リンク測定を実行すること（１０１１）と、を有する方法。
【請求項１４】
前記接続解放メッセージの受信に応答して、前記メインネットワークノードおよび前記セカンダリネットワークノードとの前記二重接続通信を一時停止した後に前記二重接続通信のためのアクセスストラタム(AS)コンテキストが無線端末において維持されるように、前記メインネットワークノードおよび前記セカンダリネットワークノードとの前記二重接続通信のための前記アクセスストラタムコンテキストを保存すること（１００９）、をさらに有する請求項１３に記載の方法。
【請求項１５】
前記メインネットワークノードおよび前記セカンダリネットワークノードとの前記二重接続通信を一時停止する前に、前記無線端末との前記二重接続通信が一時停止されている間に前記無線端末によって実行されるべき無線リンク測定を規定する測定構成メッセージを前記メインネットワークノードから受信すること（１００５）をさらに有し、前記無線リンク測定を実行することは、前記測定構成メッセージに従って前記無線リンク測定を実行することをさらに有する請求項１３または１４に記載の方法。
【請求項１６】
前記二重接続通信が一時停止されている間、前記メインネットワークノードに再開要求を送信すること（１０１３）と、
前記再開要求を送信した後、測定レポートを前記メインネットワークノードに送信すること（１０１５）であって、前記測定レポートは、前記二重接続通信の一時停止中に実行された前記無線リンク測定に基づく情報を含む、送信すること、をさらに有し、または
前記二重接続通信が一時停止されている間、ダウンリンクデータの到来を示すページングを前記メインネットワークノードから受信すること（１０１９）と、
前記ページングを受信した後、測定レポートを前記メインネットワークノードに送信すること（１０２１）であって、前記測定レポートは、前記二重接続通信の一時停止中に実行された前記無線リンク測定に基づく情報を含む、送信すること、をさらに有する請求項１３から１５のいずれか１項に記載の方法。
【請求項１７】
前記二重接続通信を一時停止することが、前記メインネットワークノードおよび前記セカンダリネットワークノードの両方のベアラを一時停止するために前記二重接続通信を一時停止することをさらに有する請求項１３に記載の方法。
【請求項１８】
メインネットワークノード(MN)としてセカンダリネットワークノード(SN)と協働して無線端末(UE)との二重接続(DC)通信をサポートするように構成されたネットワークノードであって、
前記セカンダリネットワークノードと協働して前記無線端末との二重接続通信を提供し（５０１）、
前記無線端末との前記二重接続通信を一時停止する決定に応答して、前記無線端末に接続解放メッセージを送信し（５０５）、
前記無線端末との前記二重接続通信を一時停止する決定に応答して、前記セカンダリネットワークノードに一時停止指示メッセージを送信し（５０７）、
前記無線端末との前記二重接続通信を一時停止する決定に応答して、前記無線端末との前記二重接続通信を一時停止する（５１５）、ように構成されたネットワークノード。
【請求項１９】
セカンダリネットワークノード(SN)としてメインネットワークノード(MN)と協働して無線端末(UE)との二重接続通信をサポートするように構成されたネットワークノードであって、
前記メインネットワークノードと協働して前記無線端末との二重接続通信を提供し（６０１）、
一時停止指示メッセージを受信し（６０５）、
前記メインネットワークノードからの前記一時停止指示メッセージの受信に応答して、前記無線端末との前記二重接続通信を一時停止する（６０９）、ように構成されたネットワークノード。
【請求項２０】
メインネットワークノード(MN)およびセカンダリネットワークノード(SN)との二重接続通信をサポートするように構成された無線端末(UE)であって、
前記メインネットワークノードおよび前記セカンダリネットワークノードとの二重接続通信を提供し（１００１）、
前記メインネットワークノードから接続解放メッセージを受信し（１００３）、
前記接続解放メッセージの受信に応答して、前記メインネットワークノードおよび前記セカンダリネットワークノードとの前記二重接続通信を一時停止し（１００７）、
前記メインネットワークノードおよび前記セカンダリネットワークノードとの前記二重接続通信が一時停止されている間に、前記メインネットワークノードおよび／または前記セカンダリネットワークノードに関する無線リンク測定を実行する（１０１１）、ように構成された無線端末(UE)。
【発明の詳細な説明】
【技術分野】
【０００１】
本開示は通信の分野に関し、より詳細には、無線通信を提供する方法、関連するネットワークノードおよび無線端末に関する。
【背景技術】
【０００２】
LTE-NRタイトインターワーキング(tight interworking)に関して、４つのベアラタイプ、すなわち、MCGベアラ、MCGスプリットベアラ、SCGベアラ、およびSCGスプリットベアラをサポートすることが合意されている。これを図１に示す。
【０００３】
図１は、LTE-NRタイトインターワーキングに関してサポートされるベアラタイプを示す。３GPPでは、LTEおよびNRの両方において、アイドル(IDLE)モードと接続(CONNECTED)モードとの間の中間状態と考えることができる、軽度に接続されたUE（非アクティブモード）をサポートするための作業が進行しており、このモードでは、UE ASコンテキストはUEおよびRANの両方において維持され、UEはCNの観点からは接続モードにあるように、RANの観点からはアイドルモードにあるように見ることができる。このモードで動作する利点は、アイドルモードでのUE電力節約の利点を維持しながら、アイドルモード-接続モード遷移と比較して、CNに向かうシグナリングが低減され、接続モードへの遷移がより速くなることである。
【０００４】
本明細書で使用されるように、用語「非アクティブ」、「一時停止(suspended)」、および「軽度に接続された」は、本明細書全体にわたって交換可能に使用される。UEの非アクティブ←→接続モード遷移がCP（制御プレーン）およびUP（ユーザプレーン）の両方の観点から、CN（コアネットワーク）から完全に隠されているかどうかは、依然としてFFS（さらなる検討の余地がある）)である。本開示における議論は主にRAN態様に関し、したがって、両方の場合に適用可能である（すなわち、CNは非アクティブ／接続状態遷移を認識するか、または状態遷移がCNに透過的である)。
【０００５】
しかしながら、２つのRANノード（すなわち、メインノードMNおよびセカンダリノードSN）が関与し、かつMNおよび／またはSNで終端するベアラにはいくつかの無線ベアラ型が存在するので、二重接続(dual connectivity)DCシナリオにおける一時停止／再開動作の処理は複雑になりうる。LTE-NRタイトインターワーキングのコンテキストにおいてDCのための一時停止／再開動作をサポートすることは、MNおよびSNが異なるRATに属するので、さらに複雑になりうる。
【発明の概要】
【０００６】
本発明の概念のいくつかの実施形態によれば、メインネットワークノードとしてセカンダリネットワークノードと協働して、無線端末との二重接続通信(dual connectivity communication)をサポートするネットワークノードを動作させるための方法を提供することができる。無線端末との二重接続通信は、セカンダリネットワークノードと協働して提供されてもよい。無線端末との二重接続通信を一時停止する決定に応答して、接続解放メッセージが無線端末に送信され、一時停止指示メッセージがセカンダリネットワークノードに送信され、無線端末との二重接続通信が一時停止される。
【０００７】
本発明の概念のいくつかの他の実施形態によれば、セカンダリネットワークノードとしてメインネットワークノードと協働して無線端末との二重接続をサポートするネットワークノードを動作させる方法を提供することができる。無線端末との二重接続通信は、メインネットワークノードと協働して提供されてもよい。一時停止指示メッセージを受信することができる。メインネットワークノードから一時停止指示メッセージを受信することに応答して、無線端末との二重接続通信を一時停止することができる。
【０００８】
本発明の概念のさらに他の実施形態によれば、メインネットワークノードおよびセカンダリネットワークノードとの二重接続をサポートする無線端末を動作させる方法が提供されてもよい。二重接続通信は、メインネットワークノードおよびセカンダリネットワークノードと共に提供されてもよい。接続解放メッセージは、メインネットワークノードから受信されてもよい。接続解放メッセージの受信に応答して、メインネットワークノードおよびセカンダリネットワークノードとの二重接続通信を一時停止することができる。
【０００９】
本発明の概念のいくつかの実施形態によれば、ネットワークおよび／または無線状況が許すならば／許す場合には、LTE-NRタイトインターワーキングコンテキストにおいて同じMNおよびSNに対して動作中の、すべての関連する無線端末UEベアラを一時停止および再開することが可能でありうる。代替処理として、LTE-NRタイトインターワーキングは、古いMNおよび新しいSN、古いSNおよび新しいMN、または新しいMNおよび新しいSNのいずれかと再開されうる。さらに、低減されたシグナリングおよび／またはレイテンシが提供され得、データの損失および／または遅延が低減され得、および／または、SNとUEとの間のデータフローが部分的再開と完全再開との間の時間に一時的に提供されうる。
【００１０】
本開示のさらなる理解を提供するために含まれ、本出願の一部を構成するように組み込まれる添付図面は、本発明の概念の特定の非限定的な実施形態を示す。
【図面の簡単な説明】
【００１１】
【図１】図１は、LTE-NRタイトインターワーキングのためのサポートされるベアラタイプを示すブロック図である。
【図２Ａ】図２A、２B、および２Cは、本発明の概念のいくつかの実施形態によるネットワーク動作を示すメッセージ図を提供する。
【図２Ｂ】図２A、２B、および２Cは、本発明の概念のいくつかの実施形態によるネットワーク動作を示すメッセージ図を提供する。
【図２Ｃ】図２A、２B、および２Cは、本発明の概念のいくつかの実施形態によるネットワーク動作を示すメッセージ図を提供する。
【図３】図３は、本発明の概念のいくつかの実施形態による無線端末UEの要素を示すブロック図である。
【図４】図４は、本発明の概念のいくつかの実施形態によるネットワークノードの要素を示すブロック図である。
【図５】図５、図７、図８、および図９は、本発明の概念のいくつかの実施形態によるメインネットワークノードの動作を示すフローチャートである。
【図６】図６および図１２は本発明の概念のいくつかの実施形態によるセカンダリネットワークノードの動作を示すフローチャートである。
【図７】図５、図７、図８、および図９は、本発明の概念のいくつかの実施形態によるメインネットワークノードの動作を示すフローチャートである。
【図８】図５、図７、図８、および図９は、本発明の概念のいくつかの実施形態によるメインネットワークノードの動作を示すフローチャートである。
【図９】図５、図７、図８、および図９は、本発明の概念のいくつかの実施形態によるメインネットワークノードの動作を示すフローチャートである。
【図１０】図１０および図１１は、本発明の概念のいくつかの実施形態による無線端末の動作を示すフローチャートである。
【図１１】図１０および図１１は、本発明の概念のいくつかの実施形態による無線端末の動作を示すフローチャートである。
【図１２】図６および図１２は本発明の概念のいくつかの実施形態によるセカンダリネットワークノードの動作を示すフローチャートである。
【発明を実施するための形態】
【００１２】
実施形態の詳細な説明
以下、本発明の概念の実施形態の例を示す添付図面を参照して、本発明の概念をより完全に説明する。しかしながら、本発明の概念は、多くの異なる形態で具現化されてもよく、本明細書に記載された実施形態に限定されるものとして解釈されるべきではない。むしろ、これらの実施形態は本開示が完全かつ完全であり、本発明の概念の範囲を当業者に完全に伝えるように提供される。また、これらの実施形態は、相互に排他的ではないことにも留意されたい。１つの実施形態からの構成要素は、別の実施形態において存在／使用されるものと暗に仮定されてもよい。
【００１３】
図３は、本明細書で開示されるいくつかの実施形態による、無線端末UE（モバイル端末、ユーザ機器、ユーザ機器ノードなどとも呼ばれる）を示すブロック図である。図示のように、無線端末UE３００は、送受信器３０１に接続されたプロセッサ３０３と、メモリ３０７とを含むことができる。送受信器３０１は、セルラ無線アクセスネットワーク(RAN)インターフェース（RAN送受信器とも呼ばれる）および／または他の無線ネットワーク通信インターフェースのうちの１つまたは複数を含むことができる。したがって、無線端末は、１つまたは複数の無線リンクを介して、１つまたは複数の無線アクセスネットワークノード（基地局、eNodeB、eNBなどとも呼ばれる）との無線通信を提供することができる。プロセッサ３０３（プロセッサ回路または処理回路とも呼ばれる）は、汎用および／または専用プロセッサ（たとえば、マイクロプロセッサおよび／またはデジタル信号プロセッサ）などの１つまたは複数のデータ処理回路を含むことができる。プロセッサ３０３は、１つまたは複数の実施形態について本明細書で説明される動作および方法の一部またはすべてを実行するために、以下ではコンピュータ可読媒体として説明されるメモリ３０７（メモリ回路またはメモリ回路構成(circuitry)とも呼ばれる）からのコンピュータプログラム命令を実行するように構成されてよい。さらに、プロセッサ３０３は別個のメモリ３０７が必要とされないように、メモリを含むように定義されてもよい。したがって、無線端末３００、プロセッサ３０３、および送受信器３０１は、例えば図２A、２B、および２Cのメッセージ図に関して、ならびに例示的な実施形態に関して、以下で説明する動作を実行することができる。
【００１４】
図４は、本明細書で開示されるいくつかの実施形態によるネットワークノード４００を示すブロック図である。図示のように、ネットワークノード４００は、ネットワークインタフェース４０５、送受信器４０７、およびメモリ４０９に接続されたプロセッサ４０３を含むことができる。送受信器４０７は、セルラ無線アクセスネットワーク(RAN)インターフェース（RAN送受信器とも呼ばれる）および／または他の無線ネットワーク通信インターフェースを含みうる。したがって、ネットワークノード４００は、１つまたは複数の無線リンクを介して１つまたは複数の無線端末との無線通信を提供することができる。ネットワークインタフェース４０５は例えば、無線端末のための二重接続をサポートするために、複数のネットワークノードなどの他のネットワークノード／デバイスとの通信を提供しうる。プロセッサ４０３（プロセッサ回路または処理回路とも呼ばれる）は汎用および／または専用プロセッサ（たとえば、マイクロプロセッサおよび／またはデジタル信号プロセッサ）などの１つまたは複数のデータ処理回路を含むことができる。プロセッサ４０３は１つまたは複数の実施形態について本明細書で説明される動作および方法の一部またはすべてを実行するために、以下ではコンピュータ可読媒体として説明されるメモリ４０９ （メモリ回路またはメモリ回路とも呼ばれる）内の機能モジュールからのコンピュータプログラム命令を実行するように構成されてよい。さらに、プロセッサ４０３は別個のメモリ４０９が必要とされないように、メモリを含むように定義されてもよい。図４の構造は、二重接続のコンテキストにおいて、メインネットワークノードまたはセカンダリネットワークノードに適用されてもよい。したがって、ネットワークノード４００、プロセッサ４０３、ネットワークインタフェース４０５、および送受信器４０７はたとえば、図２A、２B、および２Cのメッセージ図からのMNおよび／またはSNに関して、ならびに関連する例示的な実施形態に関して以下で説明する動作を実行することができる。
【００１５】
LTEでは、UEを非アクティブ状態に移行させる決定がネットワークによって行われると、eNBはrrc-suspendの解放原因(release cause)を伴うRRCConnectionReleaseメッセージをUEに送信する。このメッセージではまた、再開ID(resumeIdentiy)も提供される。UEは再開IDおよびUE ASコンテキスト（現在のRRC構成、現在のセキュリティコンテキスト、ソースPCellで使用されるROHC状態、C-RNTIを含むPDCP状態、ソースPCellのセルID(cellIdentity)および物理セルIDを含む）を格納し、すべてのRLCエンティティ（SRBおよびDRBの両方について）を再確立し、SRB0を除くすべてのDRBおよびSRBを一時停止する。
【００１６】
UEはその後、（送信すべきULデータまたはDLデータに対するページング要求に応答して）接続を再開したい場合、保存された再開IDと共にRRCConnectionResumeRequestメッセージを送信する。eNBはRRCConnectionResumeメッセージで応答し、UEおよびeNBの両方が保存されたUEコンテキストを復元し、UEから／へのデータ送信／受信を再開することができる。再開動作は、UEが一時停止されたときにUEにサービスしていたeNB以外のeNBにおいて実行されうることに留意されたい。その場合、新しいeNBは例えば、古いeNBからのRetrieve UE Context手順を使用することによって、コンテキストフェッチを実行することができる（再開IDが、古いeNB／セルに関する情報を含むため）。
【００１７】
二重接続(DC)シナリオにおける一時停止／再開動作の取り扱いは、２つのRANノード（すなわち、MN（メインノード）およびSN（セカンダリノード））が関係し、さらにMNまたはSNで終端するいくつかの無線ベアラタイプがあるので、複雑である。現在、仕様はDCの場合を明示的には扱っていないため、DCはRAN実装に依存する。いくつかの可能な例を以下に示す:
●  UEが一時停止される前に、MCGベアラを除く全てのベアラが解放される；または
●  UEが再開するように求められる場合、新しいベアラ構成がRRCConnectionResumeメッセージ内で（オプションのradioResourceConfigDedicated IEを用いて）提供されることができ、これは、非MCGベアラを解放するか、またはそれらがMCGベアラになるように修正することができる
LTE-NRタイトインターワーキングのコンテキストで一時停止／再開動作をサポートすることは、MNおよびSNが異なるRATに属するので、さらに複雑になる。我々はSNで終端される新しいベアラタイプ（SCGスプリットベアラ）についてもサポートする。
【００１８】
LTE-NRタイトインターワーキングケースにおけるRRC一時停止／再開の完全なサポートは、再開時にすべてのUEのDRB（すなわち、MCG、MCGスプリット、SCG、SCGスプリット）の復元を要求する。しかしながら、これは、UEとMN／SNとの間の無線条件が変化しておらず（例えば、UEが移動していない）、かつ、UEが非アクティブモードにあった間にMNおよびSNの両方の状況が大きく変化していない（例えば、MNおよびSNの両方において、UEが一時停止されたときのすべてのベアラをサポートするための利用可能なリソースがある）場合にのみ達成されうる。UEが非常に短い時間だけ非アクティブモードになっていたときを除き、これらの仮定は成り立たない。例えば、
【００１９】
●  UEが移動しており、古いSNとの無線状態もはや良好ではない
・  UEは現在、SNのセルエッジの近くにある、または
・  UEはSNのカバレージエリア外にある
●  古いSNよりも良好な無線状態を有する別のSNがUEに存在する
●  SNのカバレージエリアにないUE
●  UEが、古いSNがXn接続を有しない別のMNのカバレージエリアへ移動している
したがって、UEがDCで動作しているときにすべてのベアラを再開することは不可能であるか、または非常に非効率的でありうる。上述のように、これを処理する１つの方法はUEが一時停止または再開されるときに、すべての非MCGベアラを解放することである。しかし、UEが同じMNおよびSNとのLTE-NRタイトインターワーキングモードに入ることができることがすぐに明らかになる（たとえば、後続の測定レポートが受信されるとき）可能性があるので、そのようにすることが非効率的になることもある。
【００２０】
本明細書で開示されるいくつかの実施形態によれば、一時停止／再開動作を効率的に処理するために、上記の問題に対処することができ、かつ／または機構を提供することができる。
【００２１】
いくつかの実施形態によれば、LTE-NRタイトインターワーキングモードで動作するUEを効率的に一時停止および再開するための機構が提供されうる。
【００２２】
本明細書で説明される仕組みにより、ネットワークおよび無線条件が許せば、同じMNおよびSNへのLTE-NRタイトインターワーキングで動作するUEについて、すべての関連するベアラUEを一時停止および再開することが可能になる。そして、これが可能でない場合、LTE-NRタイトインターワーキングを、古いMN-新しいSN、新しいMN-古いSN、または新しいMN-新しいSNの組み合わせのいずれかで再開することができる。ネットワークおよび無線状態が二重接続にそぐわない場合、UEを非DCモードに戻すことも可能である。
【００２３】
・  他の利点には、非MCGベアラを解体し、しばらくしてから再設定する必要がないため、シグナリングおよびレイテンシが低減されることが含まれうる
・  逆に、MCG以外のベアラを盲目的に動作させ、データ／遅延の損失のリスクを冒すことはしない
・  部分的な再開と完全な再開との間の時間において、SNとの無線接続がない場合であっても、SNとUEとの間のデータフローを（スプリットSCGを用いて）一時的に維持することができる
【００２４】
図２Ａ、図２Ｂ、および図２Ｃは本発明の概念のいくつかの実施形態による動作を示し、図２Ａ、図２Ｂ、および図２Ｃの動作（以下の動作に対応する括弧内の動作番号で識別される）は、以下でより詳細に説明される。
【００２５】
免責条項(disclaimer)：以下の説明では、例として、MNがLTEノードであり、SNがNRノードであるLTE-NRインターワーキングの場合について説明する。ただし、NRノードがマスタであり、LTEがSNである場合にもすべての実施形態を適用することができる。実施形態は一般に、同じまたは異なるRATの下で動作する任意の２つのノード（例えば、LTE-LTE DC、NR-NR DC、LTE-NR DC、X-Y DC（ここで、XおよびYは、それらの間のDC動作をサポートする任意の２つのセルラRAT））に適用可能である。
【００２６】
動作１：MNは、UEを一時停止することを決定すると、それについてSNに通知する。SNがこのようなメッセージを受信すると、
●  UE ASコンテキストを自身の観点からセーブする（すなわち、現在のSN RRC構成、SCG上の現在のセキュリティコンテキスト、ROHC状態を含むSN PDCP状態、PSCellで使用されるC-RNTI、SNセルID、およびソースPSCellの物理セルIDを含む）;
●  このコンテキストを、MNからの指示(indication)と共に提供される再開IDに関連付けるか、またはローカルIDを割り当て、
●  すべてのSCGおよびSCGスプリットベアラを一時停止する。
【００２７】
動作２：MNは、UEを一時停止することを決定すると、rrc-suspendフラグをオンしたRRCConnectionReleaseコマンドをUEに通知する。UEがこのようなメッセージを受信すると、
●  自身のASコンテキスト（すなわち、MNおよびSN両方からのRRC設定、MCGおよびSCGに関する現在のセキュリティコンテキスト、すべてのベアラについてのROHC状態を含むSN PDCP状態、PCellおよびPSCellで使用されるC-RNTI、MNおよびSNセルID、ソースPCellおよびPSCellの物理セルIDを含む） を保存し、;
●  すべてのベアラを一時停止する。
【００２８】
動作３：MNは一時停止されたメッセージと共にUEを一時停止することを決定すると、非アクティブモードにある間、MNおよびSNのRATのいずれかまたは両方に対して測定を実行し続けるようにUEを構成することができる。UEバッテリを消耗させないために、この測定構成は、以下を含むことができる
-  測定が通常の動作よりも長い周期で実行されることを示す指示、および／または
-  測定フィルタリングを、より短い間隔で行うことができることを示す指示。
【００２９】
動作４：LTE-NRインターワーキングで動作しているUEが一時停止される動作３の変形例である。UEが非アクティブ状態になった後に、MNおよび／またはSNのRATのいずれかまたは両方のRATにおいて測定を実行しなければならないものとする。周期性およびフィルタリング持続時間など、これらの測定値を決定するパラメータはUEが接続モードにあった間の任意のタイミングにRRCシグナリングを介してUEに与えることができ、またはUE（例えば、SIMカード）にハードコーディングすることができる。
【００３０】
動作５：動作３および４にしたがって、UEは、提供された／利用可能な測定構成を用いてMNおよび／またはSN RATの測定を実行する。
【００３１】
動作６：UEがULデータの到着に起因して後で再開しようとするとき、またはDLデータがRANレベルページングをトリガし、それに応答しているとき、UEは、測定が利用可能であるという指示を示すこともできる。これは、RRCConnectionResumeRequestメッセージに含めることができる情報を介して、またはPUCCH上で通常のスケジューリング要求を送信することによって行うことができる。
【００３２】
動作７：MNはUEから、保留中の測定レポートを有するという指示とともに再開要求を受信すると（または別個のスケジューリング要求を受信すると）、DLでUEに必要なリソースを割り当て、これを（通常のPDCCHグラント情報を用いて）UEに示す。
【００３３】
動作８：動作３〜７の代替処理として、UEは、非アクティブモードにあるときに測定を実行するように構成されず、RRCConnectionResumeコマンドがMNから受信された後にのみ測定を実行するように構成される。UEはこのことを暗黙的に理解することができる（すなわち、非アクティブモードUEが、非アクティブモードに移行する前にLTE-NRタイトインターワーキングモードにあった場合、UEは再開コマンドを受信すると測定を開始することになる）。あるいは、このことが明示的（再開コマンドと共に送信される構成）であってもよい。
【００３４】
動作９：動作８の代替処理として、UEは非アクティブモードにあるときに測定を実行するように構成されず、以下の後に測定を開始する
●  DLデータを示すページングの受信
・  RRCConnectionResumeRequestメッセージを送信する前
・  RRCConnectionResumeRequestメッセージを送信した後
●  ULデータの到着
・  RRCConnectionResumeRequestメッセージを送信する前
・  RRCConnectionResumeRequestメッセージを送信した後
【００３５】
動作１０：MNはUEからRRCConnectionResumeRequestを受信すると、RRCConnectionResumeコマンドをUEに送信する前に、UEがアクティブ化されていることをSNに通知するために（resumeIdentityと共に）SNに指示を送信する。
【００３６】
動作１１：MNからアクティベーション情報を受信すると、SNは、再開IDに基づいて対応するUE ASコンテキストを見つけ、（UEを受け付けるのに十分なリソースを有するかどうかをチェックするために）受け付け制御(admission control)を実行する。SNは、受け付け制御の結果をMNに応答することができる。これは成功または失敗を示す単純なフラグ／ビットであってもよいし、UEのベアラ（すなわち、SCGベアラおよびSCGスプリットベアラ）のうちのどれが許可されうるかを示す詳細なメッセージであってもよい。
【００３７】
動作１２：SNは動作１１のように受け付け制御を実行し、それが成功した場合（すなわち、少なくとも１つのSCG関連ベアラが受け付けされた場合）、または受け付け制御を実行しない場合、任意の（該当する場合には、受け付けられた）SCGスプリットベアラを再開し、これらのベアラ上のDL上のすべてのスケジューリングがスプリットベアラのMNレグ上でのみ行われるように、対応するプロトコルエンティティを構成する。SCGベアラおよび、MCGスプリットベアラのSNレグは、一時停止されたままとなる。
【００３８】
動作１３：MNは、動作１１にしたがって受信された受け付け制御情報を考慮して、RRCConnectionResumeメッセージを準備する。例えば、受信された指示が成功であった場合、RRCConnectionResumeメッセージに含まれるradioResourceConfigDedicated IEはUEコンテキストに格納されたすべてのベアラ（すなわち、MCG、MCGスプリット、SCG、SCGスプリット）を含むことができる。別の例として、受信された指示が失敗であった場合、radioResourceConfigDedicatedは、解放されるSCG、SCGスプリット、およびMCGベアラに変換されるMCGスプリットベアラを示すことができる。別の例は、受信された指示があらゆるSCG、SCGスプリット、およびMCGスプリットベアラについての詳細な受け付け制御結果を含んでいた場合、受け付けられなかったベアラを、解放すべきベアラリストに含めることができることである。
【００３９】
動作１４：MNは関係するベアラ（すなわち、MCG、MCGスプリット、およびSCGスプリット）上で受け付け制御を実行することもでき、RRCConnectionResumeメッセージは、それに基づいて、動作１２と同様にして、動作１２のものに加えて（またはその代わりに）のものに基づいて準備することができる。この場合、MCG／MCGスプリットベアラおよびSCGスプリットベアラに影響を与える。（動作１２にしたがって）ベアラのいずれもSNで受け付けられず、MNもMCGベアラを受け付けできない場合、代わりにRRCConnectionResumeRejectメッセージを準備することができる。
【００４０】
動作１５：RRCConnectionResumeメッセージは、オプションで「部分的」または「完全」再開フラグを示すことができる。
【００４１】
動作１６： 動作１３〜１５にしたがって準備されたRRCConnectionResumeまたはRRCConnectionResumeRejectメッセージはUEに送信される。
【００４２】
動作１７：動作１２〜１４の結果がRRCConnectionResumeRejectメッセージの準備であった場合、MNは別のeNBへのHO手順を開始することができる。
【００４３】
動作１８：UEは、RRCConnectionResumeメッセージを受信すると、radioResourceConfigDedicatedに含まれる構成を適用する。そのようなIEが含まれていない場合、UEは、保存されたUE ASコンテキストが依然として適用されると仮定することができる。UEは（すなわち、保存されたUE ASコンテキストおよび／または受信されたradioResourceConfigDedicatedに基づいて）すべての関連するMCGベアラ、MCGスプリットベアラ、およびSCGスプリットベアラを再開する。「部分的」再開フラグが含まれていた場合、UEはSCGベアラを再開しない。部分的再開フラグは含まれなくてもよく、UEは、測定レポートを送信する前にRRCConnectionResumeメッセージを取得しているので、それが部分的再開であると暗黙的に推定してもよい。再開される任意のMCGスプリットまたはSCGスプリットベアラについて、UEは、UL方向のMNレグ上でのみスケジュールするように構成される。SCGベアラは一時停止されたままである。
【００４４】
動作１９：UEは、スケジューリンググラントを取得すると、測定レポートをMNに送信する。
【００４５】
動作２０：MNは動作１９にしたがって、UEがSNノードとの良好な無線状態を有し、そのノードが依然としてDC以外について最良の候補であることを示す測定レポートを取得すると、DCの完全な再開を行うことができるという指示をSNおよびUEの両方に送信する。再開IDがメッセージに含まれてもよい。
【００４６】
動作２１：SNは動作２０にしたがってMNから完全再開指示を取得すると、（該当する場合、動作１１〜１２にしたがって受け付けられた）UEのSCGベアラ（もしあれば）を再開する。また、SCGスプリットベアラのSNレグ上でのスケジューリングを可能にする。
【００４７】
動作２２：UEは、動作２０にしたがってMNから完全再開指示を取得すると、（動作１８にしたがって、受け付けられるように指示された）UEのSCGベアラ（もしあれば）を再開する。また、MCGスプリットベアラおよびSCGスプリットベアラのSNレグ上でのスケジューリングを可能にする。
【００４８】
動作２３：MNは動作１９にしたがった測定レポートであって、ＵＥにとってSNノードがもはやDCの最良の候補ではないことを示す測定レポート（例えば、UEに対してより良好な無線状態を有する別のSNが存在しうるか、または、SNノードも任意の他のノードもDCのためのセカンダリノードとして追加されるのに十分良好な状態を有さない）を取得すると、SN解放および／または変更手順をSNおよびUEと開始する。
【００４９】
動作２４：SNを変更する必要がある場合、新しいSNおよび古いSNが同じPDCPを共有していれば（例えば、セカンダリネットワークにおける集中型PDCP動作）、SCGおよびSCGスプリットベアラコンテキストを新しいSNノードで再開することができ、UEおよびMNの視点では影響がないように見えるかもしれない。
【００５０】
動作２５：UEが一時停止されたMN以外のノードにおいて再開動作が開始される場合、新しいMNノードは、古いMN（これは再開要求に含まれる再開IDから推論することができる）からコンテキストをフェッチすることができる。古いSNがMNとのバックホールリンクを有し、２つのノードがDCモードで動作することが可能である場合、すべての以前の動作は、古いMNの役割を果たす新しいノードに適用可能である。新しいMNノードとSNとの間にDC動作を有することが不可能であった場合、MNは再開要求に応答して、すべてのSCGおよびSCGスプリットベアラを解放すること、またそのことをRRCConnectionResumeメッセージでUEに示すことを決定することができる。
【００５１】
実施形態２６：上述の実施形態によれば、UEが非アクティブ状態で測定レポートを行うように構成されており、再開要求とともに、または再開要求の直後に測定レポートを送信する場合、DC動作の完全な再開は、測定結果がMNおよびSNの両方に関して好ましい状況を示していた場合、上述した中間段階の部分的再開手順を経ることなく実行される。
【００５２】
動作２７：MNはUEが非アクティブモードにされた際の現在時刻を記憶し、タイマを開始することができる。UEが後で再開を要求するとき、MNは現在の時間と記憶された時間とを比較することによってUEが非アクティブモードで費やした持続時間を計算することができ、それに基づいてDC関連ベアラを復元するかどうかを決定することができる。例えば、持続時間が非常に短かった （ある設定可能な持続時間dulation_low未満である）場合、MNはDC全体の復元を試みることができ、一方、持続時間が非常に長かった（ある設定持続時間dulation_highを超える）場合、MNは、DC関連ベアラの復元を試みず、あるいはDC関連ベアラをMCGベアラに変換しようと試みない。持続時間が中間（dulation_lowより長く、dulation_highより短い）であった場合、MNはDCコンテキスト全体を復元しようと試みる前に測定レポートを待つことを決定することができ、一方で、先の実施形態のいくつかで説明したように、部分的再開を開始することができる。
【００５３】
動作２８：UEは非アクティブモードにされる際に、またはその前に、duration_lowおよびduration_highという２つのタイマ値を設定されてよい。UEは非アクティブモードで測定を行うように構成されている場合、少なくともduration_lowの間、非アクティブモードに留まった後にのみ、測定の実行を開始することができる。UEが非アクティブモードに長く留まりすぎている（duration_highより長い）場合、UEは測定の実行を停止する。再開時にUEはduration_lowとduration_highとの間の期間について非アクティブであった場合にのみ、測定値を送信することができる。
【００５４】
図５を参照してメインネットワークノード４００の動作を説明する。例えば、モジュールは図４のメモリ４０９に格納されてよく、これらのモジュールはモジュールの命令がプロセッサ４０３によって実行されるときに、プロセッサ４０３が図５のフローチャートのそれぞれの動作を実行するよう、命令を提供することができる。さらに、図４のネットワークノードは、メインネットワークノードまたはセカンダリネットワークノードのいずれであってもよい。
【００５５】
図５のフローチャートを参照して、セカンダリネットワークノード(SN)と協働して無線端末(UE)との二重接続(DC)通信をサポートするメインネットワークノード(MN)を動作させる方法について説明する。ネットワークノードプロセッサ４０３は、ブロック５０１において、例えばDCモジュールを用い、セカンダリネットワークノードと協働して、無線端末との二重接続(DC)通信を提供することができる。ブロック５０３において、プロセッサ４０３は、無線端末についての二重接続通信を一時停止するかどうかを決定することができる。
【００５６】
無線端末との二重接続通信を一時停止するという決定に応答して、プロセッサ４０３はブロック５０５において、例えば接続解放送信モジュールを用いて接続解放メッセージを無線端末に送信することができる。無線端末との二重接続通信を一時停止するという決定に応答して、プロセッサ４０３はブロック５０７において、例えば一時停止指示送信モジュールを用いて一時停止指示メッセージをセカンダリネットワークノードに送信することができる。無線端末との二重接続通信を一時停止するという決定に応答して、プロセッサ４０３は例えば、測定構成送信モジュールを用いて、無線端末との二重接続通信がブロック５０９で一時停止されている間に無線端末によって実行されるべき無線リンク測定を定義する測定構成メッセージを無線端末に送信することができる。
【００５７】
無線端末との二重接続通信を一時停止するという決定に応答して、プロセッサはブロック５１１において、二重接続通信のためのアクセスストラタム(AS)コンテキストが、無線端末との二重接続通信が一時停止されている間、メインネットワークノードにおいて維持されるように、無線端末との二重接続通信のためのアクセスストラタムコンテキストを例えばACコンテキストモジュールを使用して保存することができる。無線端末との二重接続通信を一時停止するという決定に応答して、プロセッサ４０３はブロック５１５において、例えば、一時停止モジュールを用いて、無線端末との二重接続通信を一時停止することができる。
【００５８】
ブロック５１７における、無線端末との二重接続通信を再開するという決定に応答して、プロセッサ４０３はブロック５１９において、例えばDC通信再開モジュールを用いて、無線端末との二重接続通信を再開することができる。DC通信を再開する詳細は、図２A、２B、および２C、ならびに実施形態８〜１１に関して説明されている。異なる実施形態によるブロック５１７の動作が、図７、図８、および図９に示されている。
【００５９】
図７の実施形態では、図５のブロック５１５で二重接続通信を一時停止した後、プロセッサ４０３はブロック７０１で送受信器４０７を介して移動端末から測定レポートを受信することができ、測定レポートはメインネットワークノードおよび／またはセカンダリネットワークノードとの無線リンクに関する無線リンク測定情報を提供する。測定レポートの受信に応答して、プロセッサ４０３は、ブロック７０３において、ネットワークインタフェース４０５を介してセカンダリネットワークノードに完全再開指示を送信して、無線端末との二重接続通信を再開することができる。測定レポートの受信に応答して、プロセッサ４０３はブロック７０５において、無線端末との二重接続通信を再開するために、送受信器４０７を介して無線端末に完全再開指示を送信することができる。測定レポートの受信に応答して、プロセッサ４０３は、図５のブロック５１９において、無線端末との二重接続通信を再開することができる。
【００６０】
図８の実施形態では、二重接続通信を一時停止した後、プロセッサ４０３はブロック８０１において、ネットワークインタフェース４０５を介して、再開IDを含む部分再開指示をセカンダリネットワークノードに送信することができる。部分再開指示を送信した後、プロセッサ４０３はブロック８０３において、送受信器４０７を介して移動端末から測定レポートを受信することができ、測定レポートは、メインネットワークノードおよび／またはセカンダリネットワークノードとの無線リンクのための無線リンク測定情報を提供する。測定レポートを受信した後、プロセッサ４０３は、ブロック８０５において、ネットワークインタフェース４０５を介して、再開IDを含む完全再開指示をセカンダリネットワークノードに送信することができる（８０５）。次に、プロセッサ４０３は、図５のブロック５１９において、無線端末との二重接続通信を再開することができる。
【００６１】
図９の実施形態では、二重接続通信を一時停止した後、プロセッサはブロック９０１において、送受信器４０７を介して無線端末に部分再開指示を送信することができ（９０１）、部分再開指示は再開IDを含む。部分再開指示を無線端末に送信し、測定レポートを受信する前に、プロセッサ４０３はブロック９０３で、無線端末との二重接続通信用のマスターセルグループベアラ、マスターセルグループスプリットベアラ、およびセカンダリセルグループスプリットベアラを再開し、一方でマスターおよびセカンダリセルグループスプリットベアラのセカンダリネットワークレグを無効にすることができる。マスタセルグループベアラ、マスタセルグループスプリットベアラ、およびセカンダリセルグループスプリットベアラを再開した後、プロセッサ４０３はブロック９０５において、送受信器４０７を介して移動端末から測定レポートを受信することができ、この測定レポートは、メインネットワークノードおよび／またはセカンダリネットワークノードとの無線リンクに関する無線リンク測定情報を提供する。測定レポートを受信した後、プロセッサ４０３は、ブロック９０７において、ネットワークインタフェース４０５を介して、再開IDを含む完全再開指示をセカンダリネットワークノードに送信することができる。完全再開指示をセカンダリネットワークノードに送信した後、ブロック９０９において、プロセッサ４０３は、マスタおよびセカンダリセルグループベアラのセカンダリネットワークレグを有効にすることができる。次に、プロセッサ４０３は、図５のブロック５１９において、無線端末との二重接続通信を再開することができる。
【００６２】
図５、図７、図８、および図９の様々な動作は、いくつかの実施形態に関してオプションでありうる。例示的な実施形態１（以下に記載）の方法に関して、例えば、ブロック５０３、５０９、５１１、５１７、５１９、７０１、７０３、７０５、８０１、８０３、８０５、９０１、９０３、９０５、９０７、および９０９の動作はオプションでありうる。
【００６３】
図６のフローチャートを参照して、セカンダリネットワークノード４００の動作について説明する。例えば、モジュールは図４のメモリ４０９に格納されてもよく、これらのモジュールはモジュールの命令がプロセッサ４０３によって実行されるときに、プロセッサ４０３が図６のフローチャートのそれぞれの動作を実行するよう、命令を提供することができる。さらに、図４のネットワークノードは、メインネットワークノードまたはセカンダリネットワークノードのいずれであってもよい。
【００６４】
図６のフローチャートを参照して、セカンダリネットワークノード(SN)としてメインネットワークノード(MN)と協働して無線端末(UE)との二重接続(DC)通信をサポートするネットワークノードを動作させる方法について説明する。ブロック６０１において、プロセッサ４０３は例えばDC通信モジュールを用い、メインネットワークノードと協働して、無線端末との二重接続通信を提供することができる。ブロック６０３における一時停止指示に応答して、プロセッサ４０３は例えば、一時停止指示受信モジュールを使用して、一時停止指示メッセージを受信することができる。
【００６５】
メインネットワークノードからの一時停止指示メッセージの受信に応答して、プロセッサはブロック６０７において、二重接続通信のためのアクセスストラタム(AS)コンテキストが、無線端末との二重接続通信が一時停止された後にセカンダリネットワークノードにおいて維持されるように、無線端末との二重接続通信のためのアクセスストラタムコンテキストを例えばACコンテキストモジュールを使用して保存することができる。メインネットワークノードからの一時停止指示メッセージの受信に応答して、プロセッサ４０３はブロック６０９において、例えば一時停止モジュールを用いて、無線端末との二重接続通信を一時停止することができる。
【００６６】
ブロック６１０において、プロセッサはDC通信を再開することを決定することができ、ブロック６１１において、プロセッサ４０３は例えば、DC通信再開モジュールを用いて、無線端末とのDC通信を再開することができる。DC通信を再開する詳細は、図２A、２B、および２C、ならびに実施形態２１〜２５に関して説明されている。
【００６７】
いくつかの実施形態によるブロック６０１の動作は図１２に示されており、ここで、一時停止指示メッセージは再開IDを含み、アクセスストラタムコンテキストは再開IDに関連付けられる。二重接続通信を一時停止した後、部分的再開指示に応じて、プロセッサ４０３はブロック１２０３において、ネットワークインタフェース４０５を介してメインネットワークノードからその部分的再開指示を受信することができ、部分的再開指示は、再開IDを含む。部分再開指示の受信に応答して、プロセッサ４０３はブロック１２０５において、アクセスストラタムコンテキストに基づいて、二重接続通信のためのセカンダリセルグループスプリットベアラを再開し、一方、スプリットベアラのセカンダリネットワークノードレグを無効にし、二重接続通信のためのセカンダリセルグループベアラの一時停止を維持することができる。セカンダリセルグループスプリットベアラを再開した後、ブロック１２０７での完全再開指示に応答して、プロセッサ４０３は、ブロック１２０９で、再開IDを含んだ完全再開指示をネットワークインタフェース４０５を介して受信することができる。完全再開指示の受信に応答して、プロセッサ４０３はブロック１２１１において、アクセスストラタムコンテキストに基づいて、二重接続通信のためのセカンダリセルグループベアラを再開し、ブロック６１１において、DC通信を再開するためにスプリットベアラのセカンダリネットワークノードレグを有効にすることができる。
【００６８】
図６および図１２の様々な動作は、いくつかの実施形態に関してオプションでありうる。例示的な実施形態１６の方法（以下に記載される）に関して、例えば、ブロック６０３、６０７、６１１、１２０１、１２０３、１２０５、１２０７、１２０９、および１２１１の動作はオプションでありうる。
【００６９】
次に、無線端末３００の動作について、図１０および図１１のフローチャートを参照して説明する。例えば、モジュールは図３のメモリ３０７に格納されてもよく、これらのモジュールはモジュールの命令がプロセッサ３０３によって実行されるときに、プロセッサ３０３が図１０または図１１のフローチャートのそれぞれの動作を実行するように、命令を提供してもよい。
【００７０】
ブロック１００１、１００３、１００５、１００７、１００９、および１０１１の動作は図１０および１１の実施形態と同じであり、以下で説明する。ブロック１００１で、プロセッサ３０３はメインネットワークノードおよびセカンダリネットワークノードとの二重接続通信を提供することができ、ブロック１００３で、プロセッサ３０３は、送受信器３０１を介してメインネットワークノードから接続解放メッセージを受信することができる。ブロック１００５において、プロセッサ３０３は送受信器３０１を介してメインネットワークノードから測定構成メッセージを受信することができ、測定構成メッセージは無線端末との二重接続通信が一時停止されている間に、無線端末によって実行されるべき無線リンク測定を定義する。測定構成メッセージを受信した後、接続解放メッセージの受信に応答して、ブロック１００７で、プロセッサ３０３は、メインネットワークノードおよびセカンダリネットワークノードとの二重接続通信を一時停止することができる。接続解放メッセージの受信に応答して、プロセッサ３０３はブロック１００９において、メインおよびセカンダリネットワークノードとの二重接続通信を一時停止した後に、二重接続通信のためのアクセスストラタム(AS)コンテキストが無線端末において維持されるように、メインおよびセカンダリネットワークノードとの二重接続通信のためのアクセスストラタムコンテキストを保存することができる。ブロック１０１１において、プロセッサ３０３はメインネットワークノードおよびセカンダリネットワークノードとの二重接続通信が一時停止されている間に、メインネットワークノードおよび／またはセカンダリネットワークノードに関する無線リンク測定を実行することができ、無線リンク測定は、測定構成メッセージに従って実行される。
【００７１】
図１０の実施形態によれば、プロセッサ３０３は、二重接続通信が一時停止されている間、ブロック１０１３において、送受信器３０１を介してメインネットワークノードに再開要求を送信することができる。再開要求を送信した後、プロセッサ３０３はブロック１０１５において、測定レポートをメインネットワークノードに送信することができ、測定レポートは、二重接続通信の一時停止中に実行された無線リンク測定に基づく情報を含む。ブロック１０２３において、プロセッサ３０３は、二重接続通信を再開することができる。
【００７２】
図１１の実施形態によれば、プロセッサ３０３はブロック１０１９で二重接続通信が一時停止されている間に、送受信器３０１を介してメインネットワークノードからページングを受信することができ、ページングはダウンリンクデータの到来を示す。ページングを受信した後、プロセッサはブロック１０２１において、送受信器３０１を介してメインネットワークノードに測定レポートを送信することができ（１０２１）、測定レポートは二重接続通信の一時停止中に実行された無線リンク測定に基づく情報を含む。ブロック１０２３において、プロセッサ３０３は、二重接続通信を再開することができる。
【００７３】
図１０および図１１の様々な動作は、いくつかの実施形態に関してオプションでありうる。例示的な実施形態２７の方法（以下に記載される）に関して、例えば、ブロック１００５、１００９、１０１３、１０１５、１０１９、１０２１、および１０２３の動作はオプションでありうる。
【００７４】
本発明の概念のいくつかの実施形態にしたがった、例示的な実施形態を以下に説明する。
【００７５】
実施形態１：メインネットワークノード(MN)としてセカンダリネットワークノード(SN)と協働して、無線端末(UE)との二重接続(DC)通信をサポートするネットワークノードを動作させる方法であって、セカンダリネットワークノードと協働して無線端末との二重接続通信を提供することと、無線端末との二重接続通信を一時停止する決定に応答して、無線端末に接続解放メッセージを送信することと、無線端末との二重接続通信を一時停止する決定に応答して、無線端末との二重接続通信を一時停止する決定に応答して、セカンダリネットワークノードに一時停止指示メッセージを送信することと、無線端末との二重接続通信を一時停止する決定に応答して、無線端末との二重接続通信を一時停止することとを含む方法。
【００７６】
実施形態２：無線端末との二重接続通信を一時停止することを決定することに応答して、無線端末との二重接続通信が一時停止されている間、無線端末との二重接続通信のためのアクセスストラタム(AS)コンテキストがメインネットワークノードにおいて維持されるように、無線端末との二重接続通信のためのアクセスストラタムコンテキストを保存することをさらに有する、実施形態１に記載の方法。
【００７７】
実施形態３：二重接続通信のためのアクセスストラタムコンテキストが、メインネットワークノードのためのマスタセルグループ(MCG)ベアラ、およびセカンダリネットワークノードのためのセカンダリセルグループ(SCG)ベアラに関する情報を含む、実施形態２に記載の方法。
【００７８】
実施形態４：二重接続通信のためのアクセスストラタムコンテキストが、メインネットワークノードおよびセカンダリネットワークノードのための無線リソース制御構成を含む、実施形態２から３のいずれかに記載の方法。
【００７９】
実施形態５：二重接続通信のためのアクセスストラタムコンテキストが、メインおよびセカンダリネットワークノードのメインおよびセカンダリセルグループについてセキュリティコンテキスト、メインおよびセカンダリネットワークノードについてのパケットデータ収束プロトコル状態、メインおよびセカンダリネットワークノードについてのロバストヘッダ圧縮状態、メインおよびセカンダリネットワークノードについてセル無線ネットワーク一時識別子、および／またはPCellおよびPSCellに関連づけられたIDを含む、実施形態２から４のいずれかに記載の方法。
【００８０】
実施形態６：接続解放メッセージは、rrc-suspendフラグがオンのRRCConnectionReleaseコマンドを含む、実施形態１から５のいずれかに記載の方法。
【００８１】
実施形態７：無線端末との二重接続通信を一時停止する決定に応答して、無線端末との二重接続通信が一時停止されている間に無線端末によって実行されるべき無線リンク測定を定義する測定構成メッセージを無線端末に送信することをさらに有する、実施形態１から６のいずれかに記載の方法。
【００８２】
実施形態８：二重接続通信を一時停止した後に、メインネットワークノードおよび／またはセカンダリネットワークノードとの無線リンクについての無線リンク測定情報を提供する測定レポートを移動端末から受信することをさらに有する、実施形態１から７のいずれかに記載の方法。
【００８３】
実施形態９：測定レポートを受信することに応答して、無線端末との二重接続通信を再開するために、セカンダリネットワークノードに完全再開指示を送信することと、測定レポートを受信することに応答して、無線端末との二重接続通信を再開するために、無線端末に完全再開指示を送信することと、測定レポートを受信することに応答して、無線端末との二重接続通信を再開することとをさらに有する、実施形態８に記載の方法。
【００８４】
実施形態１０：二重接続通信を一時停止した後、測定レポートを受信する前に、部分的再開指示をセカンダリネットワークノードに送信することであって、部分的再開指示が再開IDを含むことと、測定レポートを受信した後に、完全再開指示をセカンダリネットワークノードに送信することであって、完全再開指示が再開IDを含むこととをさらに有する、実施形態８に記載の方法。
【００８５】
実施形態１１：二重接続通信を一時停止した後、かつ測定レポートを受信する前に、部分再開指示を無線端末に送信することであって、部分再開指示が再開IDを含むことと、部分再開指示を無線端末に送信した後、かつ測定レポートを受信する前に、マスタおよびセカンダリセルグループスプリットベアラのセカンダリネットワークレグを無効にしながら、無線端末との二重接続通信のためのマスタセルグループベアラ、マスタセルグループスプリットベアラ、およびセカンダリセルグループスプリットベアラを再開することと、測定レポートを受信した後に、セカンダリネットワークノードに完全再開指示を送信することであって、完全再開指示が再開IDを含むことと、セカンダリネットワークノードに完全再開指示を送信した後に、マスタおよびセカンダリセルグループベアラのセカンダリネットワークレグを有効にすることとをさらに有する、実施形態８に記載の方法。
【００８６】
実施形態１２：メインネットワークノードおよびセカンダリネットワークノードが、異なる無線アクセス技術のノードである、実施形態１から１１のいずれかに記載の方法。
【００８７】
実施形態１３：メインおよびセカンダリネットワークノードの一方がLTEネットワークノードであり、メインおよび第２のネットワークノードの他方がNRネットワークノードである、実施形態１２に記載の方法。
【００８８】
実施形態１４：メインネットワークノード(MN)としてセカンダリネットワークノードと協働して、無線端末との二重接続通信をサポートするネットワークノードであって、メインネットワークノードが、無線端末との無線ネットワーク通信を提供するように構成された送受信器と、セカンダリネットワークノードとのネットワーク通信を提供するように構成されたネットワークインターフェースと、送受信器およびネットワークインターフェースと接続されたプロセッサとを有し、プロセッサは送受信器を介して無線端末との通信を提供するように構成され、プロセッサはネットワークインターフェースを介してセカンダリネットワークノードとの通信を提供するように構成され、プロセッサは実施形態１から１３のいずれかにしたがった動作を実行するように構成される、ネットワークノード。
【００８９】
実施形態１５：実施形態１から１３のいずれかにしたがって実行するように構成されたネットワークノード。
【００９０】
実施形態１６：セカンダリネットワークノード(SN)としてメインネットワークノード(MN)と協働して無線端末(UE)との二重接続をサポートするネットワークノードを動作させる方法であって、メインネットワークノードと協働して無線端末との二重接続通信を提供することと、一時停止指示メッセージを受信することと、メインネットワークノードから一時停止指示メッセージを受信することに応答して、無線端末との二重接続通信を一時停止することとを有する、方法。
【００９１】
実施形態１７：メインネットワークノードから一時停止指示メッセージを受信することに応答して、無線端末との二重接続通信を一時停止した後に二重接続通信のためのアクセスストラタム(AS)コンテキストがセカンダリネットワークノードにおいて維持されるように、無線端末との二重接続通信のためのアクセスストラタムコンテキストを保存することをさらに有する、実施形態１６に記載の方法。
【００９２】
実施形態１８：二重接続通信のためのアクセスストラタムコンテキストは、セカンダリネットワークノードについてのセカンダリセルグループ(SCG)ベアラに関する情報を含む、実施形態１７に記載の方法。
【００９３】
実施形態１９：二重接続通信のためのアクセスストラタムコンテキストが、セカンダリネットワークノードについての無線リソース制御構成、セカンダリネットワークノードのセカンダリセルグループについてのセキュリティコンテキスト、セカンダリネットワークノードについてのパケットデータ収束プロトコル状態、セカンダリネットワークノードについてのロバストヘッダ圧縮状態、セカンダリネットワークノードについてのセル無線ネットワーク一時識別子、および／またはPSCellに関連するIDのうちの少なくとも１つを含む、実施形態１７から１８のいずれかに記載の方法。
【００９４】
実施形態２０：一時停止指示メッセージは再開IDを含み、アクセスストラタムコンテキストは再開IDに関連付けられる、実施形態１７から１９のいずれかに記載の方法。
【００９５】
実施形態２１：二重接続通信を一時停止した後、メインネットワークノードから部分再開指示を受信することであって、部分再開指示が再開IDを含むことと、部分再開指示を受信することに応答して、スプリットベアラのセカンダリネットワークノードレグを無効にしながら、かつ二重接続通信のためのセカンダリセルグループベアラの一時停止を維持しながら、アクセスストラタムコンテキストに基づいて二重接続通信のためのセカンダリセルグループスプリットベアラを再開することと、をさらに有する、実施形態２０に記載の方法。
【００９６】
実施形態２２：セカンダリセルグループスプリットベアラを再開した後、再開IDを含む完全再開指示を受信することと、完全再開指示を受信することに応答して、アクセスストラタムコンテキストに基づいて二重接続通信のためのセカンダリセルグループベアラを再開することと、スプリットベアラのセカンダリネットワークノードレグを有効にすることとをさらに有する、実施形態２１に記載の方法。
【００９７】
実施形態２３：二重接続通信を一時停止することは、無線端末との二重接続通信に関連づけられたセカンダリセルグループベアラおよびセカンダリセルグループスプリットベアラを一時停止することを有する、実施形態１６から２２のいずれかに記載の方法。
【００９８】
実施形態２４：メインネットワークノードおよびセカンダリネットワークノードが、異なる無線アクセス技術のノードである、実施形態１６から２３のいずれかに記載の方法。
【００９９】
実施形態２５：メインおよびセカンダリネットワークノードの一方がLTEネットワークノードであり、メインおよびセカンダリネットワークノードの他方がNRネットワークノードである、実施形態２４に記載の方法。
【０１００】
実施形態２６：セカンダリネットワークノード(SN)としてメインネットワークノードと協働して無線端末との二重接続通信をサポートするネットワークノードであって、セカンダリネットワークノードは、無線端末との無線ネットワーク通信を提供するように構成された送受信器と、メインネットワークノードとのネットワーク通信を提供するように構成されたネットワークインターフェースと、送受信器およびネットワークインターフェースと接続されたプロセッサと、を有し、プロセッサは送受信器を介して無線端末との通信を提供するように構成され、プロセッサはネットワークインターフェースを介してメインネットワークノードとの通信を提供するように構成され、プロセッサは実施形態１６から２５のいずれかにしたがった動作を実行するように構成される、ネットワークノード。
【０１０１】
実施形態２７：メインネットワークノードおよびセカンダリネットワークノードとの二重接続をサポートする無線端末を動作させる方法であって、メインネットワークノードおよびセカンダリネットワークノードとの二重接続通信を提供することと、メインネットワークノードから接続解放メッセージを受信することと、接続解放メッセージの受信に応答して、メインネットワークノードおよびセカンダリネットワークノードとの二重接続通信を一時停止することとを含む方法。
【０１０２】
実施形態２８：接続解放メッセージを受信することに応答して、メインおよびセカンダリネットワークノードとの二重接続通信を一時停止した後に、二重接続通信のためのアクセスストラタム(AS)コンテキストが無線端末において維持されるように、メインおよびセカンダリネットワークノードとの二重接続通信のためのアクセスストラタムコンテキストを保存することをさらに有する、実施形態２７に記載の方法。
【０１０３】
実施形態２９：アクセスストラタムコンテキストは、メインおよびセカンダリネットワークノードのための無線リソース制御構成を含む、実施形態２８に記載の方法。
【０１０４】
実施形態３０：アクセスストラタムコンテキストが、メインおよびセカンダリネットワークノードのベアラについてのセキュリティコンテキスト、メインおよびセカンダリネットワークノードのパケットデータ収束プロトコル状態、メインおよびセカンダリネットワークノードのセル無線ネットワーク一時識別子、メインおよびセカンダリネットワークノードのセルID、ならびにメインおよびセカンダリノードの物理セルIDを含む、実施形態２８から２９のいずれかに記載の方法。
【０１０５】
実施形態３１：二重接続通信を一時停止することが、メインネットワークノードおよびセカンダリネットワークノードのベアラを一時停止することを含む、実施形態２７から３０のいずれかに記載の方法。
【０１０６】
実施形態３２：接続解放メッセージは、rrc-suspendフラグがオンのRRCConnectionReleaseコマンドを含む、実施形態２７から３１のいずれかに記載の方法。
【０１０７】
実施形態３３：メインネットワークノードおよび／またはセカンダリネットワークノードとの二重接続通信が一時停止されている間に、メインネットワークノードおよび／またはセカンダリネットワークノードに関して無線リンク測定を実行することをさらに有する、実施形態２７から３２のいずれか記載の方法。
【０１０８】
実施形態３４：メインネットワークノードおよびセカンダリネットワークノードとの二重接続通信を一時停止する前に、無線端末との二重接続通信が一時停止されている間に無線端末によって実行されるべき無線リンク測定を規定する測定構成メッセージをメインネットワークノードから受信することをさらに有し、無線リンク測定を実行することは、測定構成メッセージに従って無線リンク測定を実行することを有する、実施形態３３に記載の方法。
【０１０９】
実施形態３５：二重接続通信が一時停止されている間に、再開要求をメインネットワークノードに送信することと、再開要求を送信した後に、測定レポートをメインネットワークノードに送信することとをさらに有し、測定レポートは、二重接続通信の一時停止中に実行された無線リンク測定に基づく情報を含む、実施形態３３から３４のいずれかに記載の方法。
【０１１０】
実施形態３６：二重接続通信が一時停止されている間に、ダウンリンクデータの到来を示すページングをメインネットワークノードから受信することと、ページングを受信した後に、測定レポートをメインネットワークノードに送信することとをさらに有し、測定レポートは、二重接続通信の一時停止中に実行された無線リンク測定に基づく情報を含む、実施形態３３から３４のいずれかに記載の方法。
【０１１１】
実施形態３７：メインネットワークノードおよびセカンダリネットワークノードが、異なる無線アクセス技術のノードである、実施形態２７から３６のいずれかに記載の方法。
【０１１２】
実施形態３８：メインおよびセカンダリネットワークノードの一方がLTEネットワークノードであり、メインおよび第２のネットワークノードの他方がNRネットワークノードである、実施形態３７に記載の方法。
【０１１３】
実施形態３９：メインネットワークノードおよびセカンダリネットワークノードとの二重接続無線ネットワーク通信を提供するように構成された送受信器と、送受信器に接続されたプロセッサとを備え、プロセッサは送受信器を介して無線ネットワーク通信を提供するように構成され、プロセッサは実施形態２７から３８のいずれかにしたがった動作を実行するように構成される、無線端末(UE)。
【０１１４】
実施形態４０：実施形態２７から３８のいずれかにしたがって実行するように構成された無線端末(UE)。
【０１１５】
実施形態４１：実施形態１６から２５のいずれかにしたがって実行するように構成されたネットワークノード。
【０１１６】
本明細書で使用される略語の説明は、以下の通りである。
略語          説明
MeNB:    マスターeNB
SeNB:      セカンダリeNB
TNL:      トランスポートネットワーク層
UE:        ユーザ機器
SCG:      セカンダリセルグループ
MCG:      マスターセルグループ
NR:        新規無線技術(New Radio)
AS:        アクセスストラタム
CP:        コントロールプレーン
UP:        ユーザープレーン
CN        コアネットワーク
FFS:      さらなる検討対象
ROHC:    ロバストヘッダ圧縮
PDCP:    パケットデータ収束プロトコル
SRB:      信号無線ベアラ
DRB:      データ無線ベアラ
【０１１７】
さらなる定義を以下に記載する。
本発明の概念の様々な実施形態の上記の説明では、本明細書で使用される用語が特定の実施形態を説明するためだけのものであり、本発明の概念を限定することを意図したものではないことを理解されたい。別段の定義がない限り、本明細書で使用されるすべての用語（技術用語および科学用語を含む）は、本発明の概念が属する技術分野の当業者によって一般に理解されるものと同じ意味を有する。さらに、一般に使用される辞書で定義されるような用語は本明細書および関連技術の文脈における意味と一致する意味を有するものとして解釈されるべきであり、本明細書で明示的に定義されない限り、理想化あるいは過度に形式的な意味で解釈されるべきではないことが理解されるであろう。
【０１１８】
ある要素が別の要素に「接続される」、「結合される」、「応答する」（これらの変形物を含む）ものとして言及される場合、それは、他の要素に直接接続される、結合される、または応答することができ、あるいは介在する要素が存在することができる。対照的に、要素が、別の要素に「直接接続されている」、「直接結合されている」、「直接応答する」（これらの変形物を含む）ものとして言及される場合、介在する要素は存在しない。同じ参照符号は全体を通して同じ要素を指す。さらに、本明細書で使用される「接続される」、「結合される」、「応答する」、およびこれらのその変形物は、無線で接続され、結合され、または応答するものを含むことができる。本明細書で使用されるように、単数形「a」、「an」および「the」は文脈が別段の明確な指示をしない限り、複数形も含むことを意図する。周知の機能または構成は、簡潔さおよび／または明確さのために詳細に説明されないことがある。用語「および／または」は、関連する列挙された項目のうちの１つまたは複数の任意の組合せおよびすべての組合せを含む。
【０１１９】
第１、第２、第３などの用語は様々な要素／動作を説明するために本明細書で使用されうるが、これらの要素／動作はこれらの用語によって限定されるべきではないことが理解されるであろう。これらの用語は、１つの要素／動作を別の要素／動作と区別するためにのみ使用される。したがって、いくつかの実施形態における第１の要素／動作は、本発明の概念の教示から逸脱することなく、他の実施形態において第２の要素／動作と呼ぶことができる。明細書全体を通して、同じ参照番号または同じ参照符号は、同じまたは類似の要素を示す。
【０１２０】
本明細書において用いられる場合、「有する」、「有している」、「備える」、「含む」、「含んでいる」、「包含する」、「持つ」、「ある」、「持っている」、またはこれらの変形物は非制限的(open-ended)であり、１つまたは複数の規定された特徴、整数、要素、ステップ、部品または機能を含むが、１つまたは複数の他の特徴、整数、要素、ステップ、部品、機能、またはこれらのグループの存在もしくは追加を除外しない。さらに、本明細書で用いられる場合、ラテン語句「exempli gratia」に由来する共通の略語「e.g.（例えば）」は先に述べた項目の一般的な１つまたは複数の例を紹介または指定するために使用することができ、そのような項目を限定することを意図するものではない。ラテン語句「id est」に由来する共通の略語「i.e.（すなわち）」を使用して、より一般的な列挙から特定の項目を指定することができる。
【０１２１】
本明細書ではコンピュータが実施する方法、装置（システムおよび／または機器）、および／またはコンピュータプログラム製品のブロック図および／またはフローチャート図を参照して例示的な実施形態が説明されている。ブロック図および／またはフローチャート図のあるブロック、ならびにブロック図および／またはフローチャート図のブロックの組み合わせは、１つまたは複数のコンピュータ回路によって実行されるコンピュータプログラム命令によって実施可能であることを理解されたい。これらのコンピュータプログラム命令は、コンピュータおよび／または他のプログラマブルデータ処理装置のプロセッサによって実効される命令が、トランジスタ、メモリ位置に格納された値、およびそういった回路内のハードウェア要素を、ブロック図、および／またはフローチャートの１つ以上のブロックに特定された機能／動作を実施するように変形ならびに制御し、それによってブロック図および／または１つ以上のフローチャートブロックに特定された機能／動作を実施するための手段（機能）および／または構造を生成することによって装置を生成するように、汎用コンピュータ回路、専用コンピュータ回路、および／または他のプログラマブルデータ処理回路のプロセッサ回路に提供される。
【０１２２】
これらのコンピュータプログラム命令はまた、コンピュータまたは他のプログラマブルデータ処理装置に特定の方法で機能するように指示することができる有形のコンピュータ可読媒体に格納することができ、その結果、コンピュータ可読媒体に格納された命令は、ブロック図および／またはフローチャートの１つまたは複数のブロックに特定された機能／動作を実現する命令を含む製品を生成する。したがって、本発明の概念の実施形態はデジタル信号プロセッサなどのプロセッサ上で実行されるハードウェアおよび／またはソフトウェア（ファームウェア、常駐ソフトウェア、マイクロコードなどを含む）で実施することができ、これらは集合的に「回路」、「モジュール」またはそれらの変形物として呼ばれることがある。
【０１２３】
また、いくつかの代替実施形態では、ブロック内に記載された機能／動作がフローチャート内に記載された順序とは異なる順序で行われてもよいことに留意されたい。例えば、連続して示される２つのブロックは実際には実質的に同時に実行されてもよく、またはブロックに含まれる機能／動作に応じて、時には逆の順序で実行されてもよい。さらに、フローチャートおよび／またはブロック図の所与のブロックの機能は複数のブロックに分割されてもよく、および／またはフローチャートおよび／またはブロック図の２つ以上のブロックの機能は少なくとも部分的に統合されてもよい。最後に、本発明の概念の範囲から逸脱することなく、図示されるブロック間に他のブロックを追加／挿入することができ、および／またはブロック／動作を省略することができる。さらに、図のいくつかは通信の主方向を示すために、通信経路上に矢印を含むが、通信は描かれた矢印と反対の方向に生じうることが理解されるべきである。
【０１２４】
本発明の概念の原理から実質的に逸脱することなく、実施形態に対して多くの変形および修正を行うことができる。全てのそのような変形および修正は、本発明の概念の範囲内に含まれることが意図される。したがって、上記で開示された主題は例示的であり、限定的ではないと考えられるべきであり、実施形態の例は、本発明の概念の精神および範囲内にある、すべてのそのような修正、強化、および他の実施形態を包含することが意図される。したがって、本発明の概念の範囲は法律によって許容される最大限まで、実施形態の例およびその均等物を含む本開示の最も広い許容可能な解釈によって決定されるべきであり、前述の詳細な説明によって限定または限定されるべきではない。
【図１】
0006931073.tif 000002
【図２Ａ】
0006931073.tif 000003
【図２Ｂ】
0006931073.tif 000004
【図２Ｃ】
0006931073.tif 000005
【図３】
0006931073.tif 000006
【図４】
0006931073.tif 000007
【図５】
0006931073.tif 000008
【図６】
0006931073.tif 000009
【図７】
0006931073.tif 000010
【図８】
0006931073.tif 000011
【図９】
0006931073.tif 000012
【図１０】
0006931073.tif 000013
【図１１】
0006931073.tif 000014
【図１２】
0006931073.tif 000015